(57)【要約】選択可能な受信チャネルを介して受信することができる信号Ｓを受信するための装置では、該信号Ｓは、視覚的に提供可能なビデオ情報ＶＩ及び該視覚的に提供可能なビデオ上のＶＩに含まれるテキスト情報ＴＩを表しており、はじめに、受信ステージ１２が設けられ、この受信ステージは、該受信ステージ１２に供給することができる制御情報ＣＩの関数として制御可能なやり方で信号Ｓのチャネル選択的な受信のために設計され、さらに、抽出ステージが設けられ、この抽出ステージにビデオ情報ＶＩを送出することができ、この抽出ステージは、視覚的に提供可能なビデオ情報ＶＩに含まれるテキスト情報ＴＩを抽出するために設計され、さらに、プログラミングステージ２０が提供され、このプログラミングステージは、抽出されたテキスト情報ＴＩを使用して、受信ステージ１２のための制御情報ＣＩのプログラマブルな提供のために設計される。
2006507748.tif 000002
【特許請求の範囲】
【請求項１】
選択可能な受信チャネルを介して受信される信号を受信するための装置であって、該信号は視覚的に提供可能なビデオ情報及び該視覚的に提供可能なビデオ信号に含まれるテキスト情報を表しており、
受信手段に供給される制御情報の関数として制御可能なやり方で、該信号のチャネル選択的な受信のために設計される受信手段が設けられ、
受信された信号を処理して該ビデオ情報と該テキスト情報を提供するために設計される該受信手段のダウンストリームが処理手段に設けられ、
該視覚的に提供可能なビデオ情報から該テキスト情報を抽出するために設計される抽出手段と共に処理手段が設けられ、
該抽出手段のダウンストリームに位置され、抽出されたテキスト情報を使用して、該受信手段のための制御情報に関するプログラマブルな提供のために設計されるプログラミング手段が提供される、
ことを特徴とする装置。
【請求項２】
該抽出手段には、該視覚的に提供可能なビデオ情報の少なくとも１つの画像を記憶し、該少なくとも１つの画像を表しているピクチャ情報を供給するために設計されるピクチャストレージ手段が設けられる、
該抽出手段には、該ピクチャ情報に含まれるテキスト情報に関してピクチャ情報をフィルタリングし、該ピクチャ情報からフィルタリングされたテキスト情報を供給するために設計されるテキストフィルトレーション手段が設けられる、
請求項１記載の装置。
【請求項３】
該テキストフィルトレーション手段は、該プログラミング手段における抽出されたテキスト情報の利用に関する、ピクチャ情報の少なくとも１つのテキストの見本を認識するために設計される、
請求項２記載の装置。
【請求項４】
該抽出手段には、該テキストフィルトレーション手段から部分的なテキスト情報を受信し、通信チャネルを介して部分的なテキスト情報を送信し、該通信チャネルを介して部分的なテキスト情報に対応する、少なくとも１つのアイテムの補足のテキスト情報を受信し、該受信された補足のテキスト情報を該テキストフィルトレーション手段に供給するために設計されるテキスト情報補足手段が設けられ、
該テキストフィルトレーション手段は、ピクチャ情報からフィルタリングされたテキスト情報が余りに不完全であるために、受信手段のための制御情報に関するプログラマブルな提供がプログラミング手段で保証されないことを認識するために設計され、該テキストフィルトレーション手段は、この種の不完全なテキスト情報を認識した結果として、部分的なテキスト情報としてピクチャ情報からフィルタリングされたテキスト情報の少なくとも１部をテキスト情報補足手段に送出するために設計され、該テキストフィルトレーション手段は、該テキスト情報補足手段からの補足のテキスト情報を受けて、部分的なテキスト情報を該受信された補足のテキスト情報で補足することで該テキスト情報を編集する、
請求項２記載の装置。
【請求項５】
該装置には、抽出手段をアクチベートするために提供されるアクチベーション情報を該装置で入力することができるように設計される入力手段が設けられ、
該抽出手段は、該入力手段と対話し、アクチベーション手段が存在する場合、該ビデオ情報からテキスト情報の抽出を開始するために設計される、
請求項１記載の装置。
【請求項６】
該プログラミング手段は、受信手段のための制御情報のプログラマブルな提供のための使用することができるテキスト情報を表す視覚的に提供可能な補足のビデオ情報を発生して提供するために設計され、
ビデオ情報及び補足のビデオ情報を使用して、両方の情報アイテムのジョイントビジュアルプレゼンテーションのために適切である、両方の情報アイテムを含んでいるビデオプレゼンテーション情報を発生して供給するために設計されるビデオプレゼンテーション信号発生手段が設けられる、
請求項１記載の装置。
【請求項７】
選択可能な受信チャネルを介して受信することができる信号を受信するための方法であって、該信号は、視覚的に提供可能なビデオ情報及び該視覚的に提供可能なビデオ情報に含まれるテキスト情報を表し、
受信手段を使用して、該信号は、該受信手段に供給される制御情報の関数として制御可能なやり方でチャネル選択的に受信され、
該信号は、該受信手段のダウンストリームに位置される処理手段により処理され、該ビデオ情報及び該テキスト情報が供給され、
該処理手段に含まれる抽出手段により、供給された視覚的に提供されたビデオ情報から該テキスト情報が抽出され、
該受信手段のための制御情報は、該抽出されたテキスト情報を使用して、該抽出手段のダウンストリームに位置されるプログラミング手段によりプログラマブルに提供される、
ことを特徴とする方法。
【請求項８】
該視覚的に提供可能なビデオ情報の少なくとも１つのピクチャは、抽出手段により記憶され、少なくとも１つのピクチャを表しているピクチャ情報が発生され、該ピクチャ情報はピクチャ情報に含まれるテキスト情報に関してフィルタリングされ、該ピクチャ情報からフィルタリングされたテキスト情報が供給される、
請求項７記載の方法。
【請求項９】
ピクチャ情報のフィルタリングの間に、該プログラミング手段における該抽出されたテキスト情報の使用に関連する少なくとも１つのテキストの見本がピクチャ情報で認識される、
請求項８記載の方法。
【請求項１０】
該ピクチャ情報からフィルタリングされたテキスト情報は余りに不完全であるので、該受信手段のための制御情報のプログラマブルな提供がプログラミング手段で保証されないことが抽出手段により認識され、
この種の不完全なテキスト情報が認識されているとき、ピクチャ情報からフィルタリングされたテキスト情報の少なくとも１部は、通信チャネルを介して部分的なテキスト情報として送信され、該部分的なテキスト情報に対応する補足のテキスト情報の少なくとも１つのアイテムは、該通信チャネルを介して受信され、
該テキスト情報は、部分的なテキスト情報を該受信された補足のテキスト情報で補足することで編集される、
請求項８記載の方法。
【請求項１１】
ビデオ情報からのテキスト情報の抽出は、アクチベーション情報が装置に入力されたときに抽出手段で開始される、
請求項７記載の方法。
【請求項１２】
受信手段のための制御情報のプログラマブルな提供のために使用することができるテキスト情報を表す補足のビデオ情報は、プログラミング手段により発生されて提供され、
ビデオ情報及び補足のビデオ情報を使用して、両方の情報アイテムのジョイントビジュアルプレゼンテーションに適している、両方の情報アイテムを含んでいるビデオプレゼンテーション信号がビデオプレゼンテーション信号発生手段により発生されて供給される、
請求項７記載の方法。
【発明の詳細な説明】
【技術分野】
【０００１】
本発明は、選択可能な受信チャネルを介して受信することができる、ビデオ情報及びテキスト情報を表す信号を受信するための装置に関し、ここでは、テキスト情報を使用して発生することができる制御情報の関数として制御可能なやり方で信号のチャネル選択的な受信のために設計される受信手段が設けられる。
【０００２】
さらに、本発明は、選択可能な受信チャネルを介して受信することができる、ビデオ情報及びテキスト情報を表す信号を受信するための方法に関し、ここでは、受信手段を使用して、テキスト情報を使用して生成され該受信手段に供給される制御情報の関数として、制御可能なやり方で該信号がチャネル選択的に受信される。
【背景技術】
【０００３】
第一のパラグラフで規定される一般的なタイプに関するこの種の装置、及び第二のパラグラフで規定される一般的なタイプに関するこの種の方法は、文献US2002/0073422  A1から知られている。
【０００４】
これにより公知の方法を実現することができる公知の装置は、受信チャネルに割り当てられる信号、すなわちテレビジョン信号のチャネル選択的な受信のために設計される受信手段に設けられるテレビジョンセットの形態をとる。娯楽番組のような視覚的に表示可能なビデオ情報に加えて、視覚的に表示可能なビデオ情報に含まれないテキスト情報は、テレテキスト情報の形式をとる信号により送信され、このテレテキスト情報は、視覚的に表示可能なビデオ情報とは個別のテレビジョン信号の垂直帰線消去期間で送信されることが知られている。テレテキスト情報により、テレビジョン信号での受信を将来的に可能にするビデオ情報に関して情報が供給され、この情報は、たとえば、タイトル、日付、受信チャネル、送信時間、特定の番組の記述及び時間帯に関する場合がある。さらに、装置には、テレテキスト情報を使用して、受信手段のための制御情報のプログラマブルな提供のために設計されるプログラミング手段が設けられており、したがって、正しい瞬間で、正しい受信チャネルの選択により、装置のユーザの介入なしで、将来的に受信可能となるビデオ情報を自動的に受信することができる。
【発明の開示】
【発明が解決しようとする課題】
【０００５】
公知の装置及び公知の方法のケースでは、第一の問題は、プログラミングのために適切なテレテキスト情報の供給のための一般的に適用可能な標準が存在しないため、受信手段をプログラミングするための適切なテレテキスト情報が常に利用可能ではないこと、したがって、このテレテキスト情報が供給される方式、及びテレテキストが供給されたかに関する方式は、特定の受信チャネルに応じて放送局のグッドウィルに依存することからなる。
【０００６】
第二の問題は、他のテレテキスト情報から簡単かつ迅速に区別するため、プログラミングのために適切かつ使用可能なテレテキスト情報が識別されなければならないことからなる。
【０００７】
第三の問題は、プログラミングのために適切かつ使用可能なテレテキスト情報はある状況で比較的大量のデータボリュームを有する場合があり、したがって、このテレテキスト情報の圧縮が比較的迅速に利用可能なテレテキスト情報をレンダリングするために都合がよく、プログラミングのためにそれを使用可能にするためにテレテキスト情報の適切な圧縮の知識を更に必要とする。
【０００８】
先に説明された第一の問題との類似により、他の２つの先に説明された問題のいずれについても、放送局に関するこれら任意の性質の問題が解決される規格のような統一的なソリューションは存在しない。更なる問題は、テレテキスト情報が残念ながら比較的頻繁に干渉にさらされ、したがってプログラミングのために使用不可能であるという更なる問題が存在する。結果として、テレテキスト情報を使用して将来的に受信可能な所望のプログラムされたビデオ情報の受信は、公知の装置との十分な信頼性により保証されない。
【０００９】
本発明の目的は、第一のパラグラフで先に規定された一般的なタイプの装置、第二のパラグラフで先に規定された一般的なタイプの方法において先に記載された問題を除いて、改善された装置及び改善された方法を提供することにある。
【課題を解決するための手段】
【００１０】
本発明に係る装置において先に記載された目的を達成するため、本発明に係る装置が以下に方式で特徴付けすることができるように、本発明に係る特徴が提供される。
【００１１】
選択可能な受信チャネルを介して受信することができる、視覚的に提供可能なビデオ情報に含まれる視覚的に提供可能なビデオ情報及びテキスト情報を表す信号を受信するための装置であって、受信手段が提供され、この受信手段は、該受信手段に供給することができる制御情報の関数として制御可能な方式で信号のチャネル選択可能な受信のために設計され、受信手段のダウンストリームには処理手段が設けられ、この処理手段は、受信された信号を処理し、ビデオ情報及びテキスト情報を提供するために設計され、該処理手段には抽出手段が設けられ、この抽出手段は、視覚的に提供可能なビデオ情報からテキスト情報を抽出するために設計され、プログラミング手段が設けられ、このプログラミング手段は、抽出手段のダウンストリームに位置され、抽出されたテキスト情報を使用して、受信手段の制御情報のプログラマブルな提供のために設計される。
【００１２】
先に記載された目的を達成するため、本発明に係る方法では、本発明に係る方法が以下の方式で特徴付けることができるように、本発明に係る特徴が提供される。
【００１３】
選択可能な受信チャネルを介して受信することができる、視覚的に提供可能なビデオ情報に含まれる視覚的に提供可能なビデオ情報及びテキスト情報を表す信号を受信するための方法であって、受信手段を使用して、受信手段に供給される制御情報の関数として、制御可能な方式で、信号はチャネル選択可能に受信される。受信手段のダウンストリームに位置される処理手段により信号が処理され、ビデオ情報及びテキスト情報が供給される。テキスト情報は、処理手段に含まれる抽出手段により供給された視覚的に提供可能なビデオ情報から抽出され、抽出されたテキスト情報を使用して、抽出手段のダウンストリームに位置されるプログラミング手段により、受信手段のための制御情報がプログラマブルに提供される。
【００１４】
本発明に係る手段を設けることで、プログラミングのために使用することができるテキスト情報を視覚的に提供可能な、したがって視覚的に近く可能なビデオ情報から直接的に得ることができるという利点が生じる。この種のビデオ情報は、たとえば、ビデオフィルムのトレイラーとして知られているプレビューへのテキスト情報の挿入である場合がある。これにより、テレテキスト情報の存在に関わらず、又はテレテキストシステムに関連する問題に関わらずにテキスト情報が利用可能であって、特に、プレインテキスト、すなわち暗号化又は特別に符号化されていないテキストに常に存在する更なる利点が生じ、これにより、この種のテキスト情報の処理が大幅に簡略化される。テキスト情報は、ビデオ情報のコンポーネントとしてリアルタイムで実際に利用可能であって、かかるように、アナウンスされた特定の将来のビデオ情報を装置で受信するのを実際に望むかを決定しなければならないユーザによりビデオ情報の統合されたコンポーネントとして視覚的に知覚されるという、更なる利点が得られる。テキスト情報が通常の良好な画質のビデオ情報で一般的に利用可能であり、したがってテキスト情報の処理を損なう歪が仮想的に存在しないことを示すという、更なる利点が得られる。しかし、この種の画像の歪が生じると、この画像の歪もまたユーザにより視覚的に知覚され、画像の歪のユーザの知覚を通してのみ、ユーザが気付くか又は警告され、プログラミングのために使用されるテキスト情報が正しく受信及び処理されないという、本発明に従うソリューションにより利点が存在する。
【００１５】
本発明に係るソリューションによれば、さらに、請求項２及び請求項８記載の特徴が設けられた場合、有利であることが分かる。これにより、テキスト情報の抽出のために使用されている全体のビデオ情報よりはむしろ、ビデオ情報の１つの個々の画像であるか、又は処理の観点で、絶え間のない画像の連続よりも処理するのが容易である、連続的に次々と生じるが必ずしも即座ではないビデオ情報の複数の画像である、という利点が生じる。結果として、受信手段のための制御情報のプログラマブルな提供のために使用される、現在利用可能なビデオ情報が使用可能なテキスト情報をもはや含まない場合があるが、過去に生じたテキスト情報を含んでいるビデオ情報の画像へのリコース（recourse）が行われる場合さえあるという、更なる利点が得られる。特に、複数の画像が存在する場合、テキスト情報の抽出の間、プログラミング手段のため、そこに含まれるテキスト情報に関して、最も適切である特定の画像が考慮される、という利点が得られる。複数の画像が存在する更なる利点は、複数の画像を通して分散されるテキスト情報が受信手段のための制御情報のプログラマブルな提供のために使用されるテキスト情報を形成するために結合することができることである。
【００１６】
本発明に係るソリューションによれば、さらに、請求項３及び請求項９に記載される特徴が提供される場合には更に有利であることが分かる。これにより、プログラミング手段のために使用することができるテキスト情報は、使用不可能なテキスト情報から簡単かつ正確な方式で区別することができるという利点を生じる。特に、テキスト見本は、“TODAY”、“TOMORROW”又は“AT  CHRISTMAS”のようなテキスト情報のケースにおけるように、特定の使用可能な日付に関して結論が導出されるのを直接的に可能にするか、特定の使用可能な日付に関して結論が導出されるのを間接的に可能にする日付情報又は日付情報のフォーマットに関する場合に有利なことが分かる。テキスト見本は、“PRIME  TIME”、“a.m”、“p.m”又は“AFTER  THE  NEWS”のようなテキスト情報のケースに置けるように、特定の使用可能な期間又は瞬間に関する結論が導出されるのを直接可能にするか、又は特定の使用可能な期間又は瞬間に関する結論が導出されるのを間接的に可能にする時間情報又は時間情報フォーマットに関する場合に有利なことが分かる。
【００１７】
本発明に係るソリューションによれば、さらに、請求項４及び請求項１０に記載される特徴が提供される場合に更に有利であることが分かる。これにより、たとえば、歪んだビデオ情報により、又は冒頭から不完全なテキスト情報により、若しくは画像をフィルタリングするときに技術的な困難のために制限された範囲にフィルタリングされるテキスト情報により生じている場合がある、プログラミング手段のために不完全であるテキスト情報は、装置のユーザ側の介入なしにプログラミング手段に完全なテキスト情報を伝達する。
【００１８】
本発明に係るソリューションによれば、さらに、請求項５及び請求項１１に記載される特徴が提供される場合に有利であることが分かる。これにより、装置のユーザがプログラミングのために必要なテキスト情報が特定の瞬間又はタイムスパンの間に視覚的に提供されたビデオ情報のコンポーネントとして挿入されるビデオフィルムのためのトレイラーを見るときのような良好に定義された瞬間で、アクチベーション情報は、装置のユーザにより装置又は抽出手段に送出され、ユーザにより視覚的に知覚されるトレイラーの画像又は画像系列により視覚的に同期して、プログラミング手段のためのテキスト情報は、ビデオ情報から抽出されるか、若しくはテキスト情報を含んでいる特定の画像又は特定の画像系列から抽出されるという利点を生じる。
【００１９】
本発明に係るソリューションによれば、さらに、請求項６及び請求項１２記載の特徴が提供される場合に有利であることが分かる。これにより、ユーザのための目的をチェックするため、テキスト情報の抽出及びプログラミング手段による抽出されたテキスト情報の受信からの引き続き、使用可能なテキスト情報又はプログラミング手段により既に使用されたテキスト情報は、ユーザに視覚的に提供されたビデオ情報への装置により自己発生された挿入として装置のユーザにとって利用可能である。
【００２０】
本発明の先の態様及び更なる態様は、以下に説明される。本発明は、本発明が限定されるものではない添付図面に示される実施の形態の例を参照して更に説明される。
【発明を実施するための最良の形態】
【００２１】
図１は、テレビジョンセットを実現し、信号Ｓすなわちテレビジョン信号を受信するために設計された装置１を示している。信号Ｓは、本実施の形態では放送用の送信チャネルである送信チャネルを介して、図１に示されていない放送局により送出され、受信チャネルが送信チャネルに一致する場合に選択可能な受信チャネルを介して装置１により受信される。信号Ｓは、視覚的に提供可能なビデオ情報ＶＩ及び視覚的に提供可能なビデオ情報に含まれるテキスト情報ＴＩを表し、テキスト情報ＴＩは、図３を参照して以下に更に詳細に記載されている。
【００２２】
ビデオ情報ＶＩは、時間軸ｔに沿って画像の系列Ｐ１〜Ｐ６の形式で例示されている。個々のピクチャＰ１〜Ｐ６は、連続的にビデオ情報ＶＩに含まれているが、画像Ｐ１〜Ｐ６間の５つの中間領域Ｚ１〜Ｚ５により示されるように、必ずしも直接的に隣接して、すなわち即座に次々と生じる必要はなく、中間領域Ｚ１〜Ｚ５、更なる画像が存在する。瞬間Ｔ０の前及び瞬間Ｔ４の後、ビデオ情報ＶＩは、“The  Economist”と題された第一のテレビ番組を表しており、その主題は経済である。第一のテレビ番組は、同じ画像Ｐ１及びＰ６により、瞬間Ｔ０の前及び瞬間Ｔ４の後に表象的に示されている。第一のテレビ番組は、放送局“Smiling  Sun”に割り当てられた放送チャネルでこの放送局により送信される。
【００２３】
瞬間Ｔ０で、第一のテレビジョン番組“The  Economist”は放送局により中断され、瞬間Ｔ０とＴ４との間で、第二のテレビ番組についてトレイラーとして知られるアナウンスメントが送信され、装置１のユーザの注意が“Town  Tours”と題されたこの第二のテレビ番組に向けられる。第二のテレビ番組の主題は旅行であり、このケースでは、２つのパート、すなわちパリ“Paris”に関する第一のパートと、ロンドン“London”に関する第二のパートに注意を引きつけることを意図している。装置１の視聴者又はユーザに視覚的に提供可能であるこのトレイラーを説明することで、図３における瞬間Ｔ０とＴ４との間で、４つの画像Ｐ２〜Ｐ５がトレイラーの「スナップショット」として示されている。
【００２４】
視覚的に提供可能なビデオ情報ＶＩに含まれる第一のテキスト情報２（“Upcoming”）を使用して、トレイラーが、将来の機会で改善に利用可能である第二のテレビ番組の前もっての通知であることを、ピクチャＰ２は視聴者に示している。第二のテレビ番組のための第一のロゴ３及び放送局のための第二のロゴ４を更に見ることができる。ビデオ情報ＶＩに含まれ、見ることができるのは、第二のテキスト情報５であって、第二のテレビ番組すなわち“Town  Tours”のタイトルに関する。
【００２５】
画像Ｐ３は、第三のテキスト情報６、すなわち第一のパートに示される街「パリ」の第一の名前を含んでおり、この街は、将来的に受信することができる第二のテレビ番組に示される。画像Ｐ３は、第二のテレビ番組の将来的な可用性に関するより詳細なタイミングの詳細を与える情報を更に含んでいる。このため、第四のテキスト情報７、すなわちトレイラー“Tomorrow”の受信の日付に相対的な日付情報が挿入される。時間の観点で画像Ｐ３に続いて、画像Ｐ４は、第二のテレビ番組の将来的な可用性に関する詳細の更なるリファインメントを与える。このため、第二のテレビ番組が放送局“Smiling  Sun”に特徴的な２０時と２１時との間の主要な送信時間で受信可能なことを示す第五のテキスト情報８、すなわち相対的な時間情報“Prime  Time”が挿入される。
【００２６】
トレイラーを使用して、瞬間Ｔ３とＴ４との間の比較的短いタイムスパンにおいて、ロンドンの街に関して将来的に更に利用可能である更なるパートに対して参照が更に行われる。このため、画像Ｐ５は、第六のテキスト情報９、すなわち第二のパートに示される街“London”の第二の名前を含んでおり、この街は、将来的に受信することができる第二のテレビ番組に示されている。第六のテキスト情報と同時に画像Ｐ５におけるビデオ情報に含まれるのは、第二のテレビ番組の将来的な可用性の更に正確なタイミングの詳細を与える情報からなる２つのアイテムである。このため、第七のテキスト情報１０、すなわち絶対日付情報“At  Christmas”、及び第八のテキスト情報１１、すなわち絶対時間情報“１０．３０ａ.ｍ.”が挿入される。
【００２７】
信号Ｓを受信してユーザにとって利用可能な情報ＶＩをつくるため、図１に示される装置１には、受信手段１２のダウンストリームに位置される受信手段１２及び処理手段１３が設けられる。受信手段１２は、受信手段１２に供給することができる制御情報ＣＩ、及び信号Ｓのチャネル選択的な受信のための受信手段設定情報ＲＣＩの関数として制御可能な方式で信号Ｓのチャネル選択的な受信のために設計され、２つの情報アイテムＣＩ及びＲＣＩを使用して、受信チャネルは、受信手段１２で選択することができる。受信手段１２は、選択された特定の受信チャネルを介して受信された信号Ｓの電気的な表現を処理手段１３に伝達するために更に設計される。
【００２８】
処理手段１３は、受信された信号Ｓを受信し、信号Ｓを処理し、ビデオ情報ＶＩ及び該ビデオ情報ＶＩに含まれるテキスト情報ＴＩ、すなわちテキスト情報アイテム２，５，６，７，８，９，１０及び１１を供給するために設計される。このため、処理手段１３には、ビデオ情報デコード手段１４、ビデオプレゼンテーション−信号生成手段１５及びプレゼンテーション手段１６が設けられている。ビデオ情報デコード手段１４は、信号Ｓを受信し、信号Ｓからのビデオ情報ＶＩをデコードし、ビデオ情報ＶＩをビデオプレゼンテーション−信号生成手段１５に供給するために設計されている。ビデオプレゼンテーション−信号生成手段１５は、ビデオ情報ＶＩ及び補足のビデオ情報ＤＩを受信し、両方の情報アイテムＶＩ及びＤＩのジョイントビジュアルプレゼンテーションに適した、情報の両方のアイテムを含んでいるビデオプレゼンテーション信号ＶＰＳを発生及び供給するために設計される。プレゼンテーション１６は、ビデオプレゼンテーション信号ＶＰＳの受信のため、ビデオ情報ＶＩ及び適用可能であれば補足のビデオ情報ＤＩのビジュアルプレゼンテーションのために設計され、このケースでは、スクリーンに割り当てられた装置１のスクリーン及び電子システムにより実現される。
【００２９】
処理手段１３には、抽出手段１７が更に設けられており、この抽出手段は、ビデオ情報ＶＩを受信し、ビデオ情報ＶＩからテキスト情報ＴＩを抽出し、アクチベーション情報ＡＩを受信し、アクチベーション情報ＡＩが受信されたときにビデオ情報ＶＩからテキスト情報ＴＩの抽出を開始するために設計されている。このため、抽出手段１７は、画像ストレージ手段１８及びテキストフィルトレーション手段１９が設けられている。画像ストレージ手段１８は、ビデオ情報ＶＩを受信し、ビデオ情報ＶＩの単一の画像を記憶するために設計される。ピクチャストレージ手段１８は、ピクチャを表しているピクチャ情報ＰＩを供給するために更に設計される。テキストフィルトレーション手段１９は、ピクチャ情報ＰＩに含まれるテキスト情報ＴＩに関してピクチャ情報ＰＩをフィルタリングするために設計される。テキストフィルトレーション手段１９は、抽出手段１７のダウンストリームに位置されるプログラミング手段２０における抽出されたテキスト情報ＴＩの使用量に関する、ピクチャ情報ＰＩにおけるテキスト見本の多様性を認識するために更に設計される。
【００３０】
このポイントで与えることができる認識可能なテキスト見本の例は、“ＹＹＹＹ  ＭＭ．ＤＤ．”、“ＤＤ．ＭＭ．ＹＹＹＹ”又は“ＤＤ．ＭＭＭ  ＹＹＹＹ”のような日付のフォーマット、若しくは“Tomorrow”、“At  Christmas”又は“At  Santa  Claus”のような特定の日付情報に関する結論を可能にするテキスト情報である。認識可能なテキスト見本の更なる例は、“ＨＨ  ＭＭ  ＳＳ”、“ＨＨ：ＭＭ  ａｍ”又は“ＨＨ：ＭＭ  ｐｍ”のような時間フォーマット、若しくは“Prime  Time”、“Late  Night”又は“Children’s  Hour”のような特定の時間に関する結論を可能にするテキスト時間情報である。テキスト見本に関する先に記載された例は、オプションの多様性に関するサンプルをまさに構成していることがこのポイントで明示的に述べられる。
【００３１】
テキストフィルトレーション手段１９は、プログラミング手段２０に関連するテキスト情報ＴＩ、特にテキスト情報アイテム７及び８並びに１０及び１１をそれぞれ供給するために設計される。テキストフィルトレーション手段１９は、プログラミング手段２０で、たとえばユーザにとって利用可能にされるためにプログラミング手段２０に関連しないテキスト情報ＴＩ、特にテキスト情報アイテム２，５，６及び９、装置１のユーザによるチェックのために、関連するテキスト情報ＴＩをテーマ的にサポートする情報アイテム、すなわちテキスト情報７及び８及び１０及び１１のそれぞれを供給するために設計される場合もあることを述べておく。
【００３２】
プログラミング手段２０は、関連する抽出されたテキスト情報ＴＩを受信するため、プログラミング手段設定情報ＰＣＩを受信するために設計され、関連するテキスト情報ＴＩ及び／又はプログラミング手段設定情報ＰＣＩを使用して、受信手段１２の制御情報ＣＩのプログラマブルな提供のために設計され、関連するテキスト情報ＴＩに基づいて行われるプログラミングに従って、所望の受信チャネルが正しい瞬間又は所望の瞬間、すなわち正しい日付及び正しい時間で受信手段１２により選択することができる。プログラミング手段２０は、受信手段１２のための制御情報ＣＩのプログラマブルな提供のために使用することのできる関連するテキスト情報ＴＩを表す、視覚的に提供可能な補足のビデオ情報ＤＩ、及び適用可能である場合、テキスト情報アイテム２，５，６又は７のような更なる情報を発生及び提供するために更に設計され、制御信号ＣＩのプログラマブルな提供のための特定のプログラミングは、ユーザに視覚的に提供することができ、ユーザによりチェック及び／又は修正することもできる。
【００３３】
装置１には、入力手段２１が更に設けられており、この入力手段２１は、抽出手段１７のアクチベーションのために提供されるアクチベーション情報ＡＩが装置１に入力され、抽出手段１７に供給されるようなやり方で設計され、該抽出手段１７は、インタラクト、すなわちアクチベーション情報ＡＩを受信するために設計される。このケースでは、入力手段２１は、リモートコントロール信号受信／処理手段により実現され、この手段は、図１に示されない、リモートコントロール装置からの赤外光により装置１に送信される、リモートコントロール信号ＲＣＳを受信するために設計される。リモートコントロール信号ＲＣＳを使用して、受信手段設定情報ＲＣＩは装置１に送信することもでき、特定の受信チャネルの手動の選択は、受信手段１２で行うこともできる。プログラミング手段設定情報ＰＣＩは、リモート制御信号ＲＣＳにより装置に更に送信することができ、受信手段１２のための制御情報ＣＩのプログラマブルな提供に関する手動のプログラミングを行うことができる。なお、入力手段２１は音声認識手段により実現される場合もあり、この音声認識手段は、話されたコマンドを認識及び処理するために設計されることをこのポイントで述べておく。キーパッドとして設計される入力手段２１の手動的な動作により、装置に送出されるべき情報アイテムＡＩ，ＲＣＩ及びＰＣＩについても提供が行われる。
【００３４】
装置１を使用して、選択可能な受信チャネルを介して受信することができる信号Ｓを受信する方法を実現することができ、受信手段１２を使用して、受信手段１２に送出することができる制御情報ＣＩの関数として制御可能なやり方でチャネル選択的に信号Ｓが選択され、処理手段１３に送出される。信号Ｓは処理手段１３により処理され、信号Ｓにより表され、テキスト情報ＴＩが含まれるビデオ情報ＶＩが提供される。提供されたテキスト情報ＴＩは、処理手段１３に含まれる抽出手段１７により、視覚的に提供可能なビデオ情報ＶＩから更に抽出され、制御情報ＣＩは、抽出されたテキスト情報ＴＩを使用して、抽出手段１７のダウンストリームにあるプログラミング手段２０により受信手段１２のために提供される。
【００３５】
テキスト情報ＶＩからのテキスト情報ＴＩの抽出は、アクチベーション情報ＡＩの受信により抽出手段１７で開始され、ここで、たとえば、アクチベーション情報ＡＩは、リモートコントロール装置を使用して、装置１のユーザにより図３で示される瞬間Ｔ２とＴ３の間で発生され、入力手段２１を介して装置１に入力される。画像ストレージ手段１８を使用して、ピクチャ情報ＰＩによりデジタル形式で表されたピクチャＰ４がこれにより記憶され、ピクチャ情報ＰＩは、テキストフィルトレーション手段１９に伝送される。
【００３６】
本方法によれば、ピクチャ情報ＰＩは、ピクチャ情報ＰＩ内に含まれるテキスト情報ＴＩに関してテキストフィルトレーション手段１９によりフィルタリングされ、ピクチャ情報ＰＩからフィルタリングされた関連するテキスト情報ＴＩが伝送される。本方法によれば、第四のテキスト情報７“Tomorrow”は、テキストフィルトレーション手段１９により、特定の日付すなわち次の日として結論を導出することを可能にするテキスト見本として認識される。第五のテキスト情報８“Prime  Time”は、このケースでは、それぞれの日について２０時で開始して２１時に終了する特定の時間すなわち“Smiling  Sun”放送局のピーク送信時間に関して結論を導出するのを可能にするテキスト見本として更に認識される。２つのテキスト情報アイテム７及び８は、プログラミング手段２０で抽出されたテキスト情報ＴＩを使用するために関連するとしてテキストフィルトレーション手段１９により認識される。更なるテキスト情報アイテム６“Paris”及び７“Town  Tours”は、関連しないとして認識され、したがってプログラミング手段２０に通過されない。
【００３７】
ユーザにより望まれるプログラミング手順の視覚的な確認のため、補足のビデオ情報ＤＩのための方法で提供が行われ、この補足のビデオ情報は、プログラミング手段２０により発生され、ビデオプレゼンテーション信号生成手段１５に通過される、プログラマブルな提供のために使用することのできるテキスト情報ＴＩ、すなわち“Tomorrow”及び“Prime  Time”、並びに明日の日付に関するプレインテキスト、更にこのケースにおけるピーク送信時間に対するタイムスパンを表している。ビデオ情報ＶＩ及び補足のビデオ情報ＤＩを使用して、２つの情報アイテムを含んでいるビデオプレゼンテーション信号ＶＰＳは、ビデオプレゼンテーション信号発生手段１５により生成及び通過され、このビデオプレゼンテーション信号ＶＰＳは、両方の情報アイテムＤＩ及びＶＩのジョイントビジュアルプレゼンテーションに適しており、装置１のユーザがプログラミング手順の視覚的なチェックを行うのを可能にする。
【００３８】
装置１では、受信手段１２の制御信号ＣＩは、２０時と２１時との間で、プログラミング後の日で、図３に示されるトレイラーで利用可能なテキスト情報ＴＩを使用して本方法に従ってプログラマブルに提供され、パリに関するパートをもつテレビジョンシリーズ“Town  Tours”が、受信手段１２によりチャネル選択的に受信される。
【００３９】
しかし、図３における瞬間Ｔ３と瞬間Ｔ４との間で、装置のユーザがアクチベーション情報ＡＩを最初に、又は再びすなわち２回、装置１の入力手段に入力した場合、先に述べた点との類似性により、制御信号ＣＩは、１０：３０ａｍのクリスマスで装置１の受信手段１２のためにプログラマブルに提供され、ロンドンに関するパートでテレビシリーズ“Town  Tours”の受信を可能にする。
【００４０】
図２に示されるように、装置１は、以下に記載されるように図１に示されるような装置１とは異なるデジタルセットトップボックスにより実現される。
【００４１】
装置１には第一のコネクション２２が設けられており、ケーブルテレビジョンネットワークに第一のコネクション２２で接続することができ、信号Ｓ及びデジタルデータの両者は、図２では図示されていない装置１とデータサーバとの間の通信のためにケーブルテレビジョンネットワークを介して送信することができる。装置１には、第二のコネクション２３が更に設けられており、テレビジョンセット又はビデオレコーダのような装置１の外部に配置されるビデオプレゼンテーション信号処理装置であって図２に示されていない装置にこの第二のコネクション２３で接続することができ、ここで、ビデオプレゼンテーション信号ＶＰＳは、第二のコネクション２３を介して装置１からこのビデオプレゼンテーション信号処理装置に通過することができる。ビデオ情報デコード手段１４とビデオプレゼンテーション信号生成手段１５との間で、装置１には、ＭＰＥＧ符号化手段２４が更に設けられており、信号Ｓからデコードされたビデオ情報ＶＩを受信し、ビデオプレゼンテーション信号発生手段１５に、ビデオ情報ＶＩを表しているＭＰＥＧ符号化ビデオデータストリームＶＤＳを発生及び伝達するために設計されている。このケースでは、ビデオプレゼンテーション信号発生手段１５は、ビデオデータストリームＶＤＳを受信及び処理するため、補足のビデオ情報ＤＩを受信するために更に設計されている。
【００４２】
抽出手段１７のコンポーネントとして、装置１には画像ストレージ手段１８が設けられており、この画像ストレージ手段は、このケースでは、１０の画像を記憶するために設計されており、ビデオ情報ＶＩの１つの単一の画像を毎秒当たり記憶することができる。このケースでは、ピクチャ情報ＰＩは、１０の画像のそれぞれを表している。テキストフィルトレーション手段１９は、１０の画像のそれぞれについてピクチャ情報ＰＩに含まれるテキスト情報ＴＩに関してピクチャ情報ＰＩをフィルタリングするために設計される。なお、３つの画像又は２０の画像のような１０の画像以外の量が設けられる場合があり、特定の画像の量が秒で測定されるトレイラーの長さに対応する場合には、ビデオ情報ＶＩに含まれるテキスト情報ＴＩがプログラミング手段２０のために最適に使用することができることが結果として高い確率で保証されるので有利であることがわかる。このケースでは、アクチベーション情報ＡＩを受信したとき、１０の画像の記憶が開始されるやり方で抽出手段１７が設計される。
【００４３】
したがって、このケースにおける方法を使用して、視覚的に提供可能なビデオ情報ＶＩの１０の画像は、画像ストレージ手段１８により記憶される。１０の画像を表しているピクチャ情報ＰＩは、テキストフィルトレーション１９に更に通過される。図３に示される状況に適用されて、この手段の提供を通して、アクチベーション情報ＡＩがデュータイム、たとえば瞬間Ｔ０とＴ１との間で入力される場合、瞬間Ｔ２とＴ３との間に位置されるテキスト情報ＴＩ並びに瞬間Ｔ３とＴ４との間に位置されるテキスト情報ＴＩの両者は、テキストフィルトレーション手段１９に利用可能にすることができるという利点が得られる。
【００４４】
なお、ストレージ手段１８はトロイダルコアメモリの形式を取る場合があり、このトロイダルコアメモリを使用してビデオ情報ＶＩの所定の画像の量をビデオ情報ＶＩと同期して永続的に利用可能であり、アクチベーション情報ＡＩの入力に関する特定の瞬間に関わらず、画像メモリＰＩは、トロイダルコアメモリに位置される全ての画像を表していることを述べておく。これにより、アクチベーション情報ＡＩの入力の瞬間に関して過去に生じた偶数の画像が１０のフィルトレーション手段１９で利用可能であり、したがって装置１のユーザのリアクションが遅れる画像に含まれるテキスト情報ＴＩをプログラミング手段２０のために使用することができる。
【００４５】
このケースでは、テキストフィルトレーション手段１９は、テキスト情報アイテム６及び９を考慮して、プログラミング２０に関連するテキスト情報ＴＩは、互いに区別することができる２つのパートに関することを認識するために設計される。したがって、特定のパートに関連する関連するテキスト情報ＴＩ、すなわち第一にテキスト情報アイテム７及び８、第二にテキスト情報アイテム１０及び１１は、テキストフィルトレーション手段１９によりプログラミング手段２０に通過することができる。
【００４６】
ピクチャ情報ＰＩに含まれるテキスト情報ＴＩに関するピクチャ情報ＰＩをフィルタリングすることに加えて、テキストフィルトレーション手段１９は、ピクチャ情報ＰＩからフィルタリングされたテキスト情報ＴＩが余りに不完全なため、受信手段１２の制御情報ＣＩのプログラマブルな提供をプログラミング手段２０で保証されないことを認識するために設計される。この種類の不完全なテキスト情報を認識する結果として、テキストフィルトレーション手段１９は、部分的なテキスト情報ＴＰＩとしてピクチャ情報ＰＩからフィルタリングされるテキスト情報ＴＩの少なくとも１部で通過するために設計される。
【００４７】
抽出手段１７には、テキスト情報の補足手段２５が更に設けられており、この補足手段は、テキストフィルトレーション手段１９から部分的なテキスト情報ＴＰＩを受信し、それを使用して発生及び伝送することができる通信送信情報ＣＳＩのコンポーネントとして部分的なテキスト情報ＴＰＩを送信するために設計される。部分的なテキスト情報ＴＰＩに加えて、通信送信情報ＣＳＩは、インターネットを介した通信の間にアドレス指定可能にするためのアドレス指定装置１の第一のアドレス、及びインターネットで利用可能なデータサーバをアドレス指定するための第二のアドレスを含んでおり、データサーバは、部分的なテキスト情報ＴＰＩを受信し、それを評価し、適用可能である場合、プログラミング手段２０で制御情報ＣＩのプログラマブルな提供を保証するためにそれを補足するために設計される。このケースでは、データサーバは、ＥＰＧ（“Electronic  Programming  Guide”）サーバにより実現される。テキスト情報補足手段２５は、通信受信情報ＣＲＩをデータサーバから受信し、補足のテキスト情報ＣＴＩをテキストフィルトレーション手段１９に伝達するために更に設計され、この補足のテキスト情報は、通信受信情報ＣＲＩに含まれており、部分的なテキスト情報ＴＰＩに対応する。なお、テキスト情報補足手段２５は、部分的なテキスト情報ＴＰＩに対応する補足のテキスト情報ＣＴＩの複数のアイテムを伝送するために設計され、たとえば、部分的なテキスト情報ＴＰＩに基づいて、データサーバにより部分的なテキスト情報ＴＰＩの明らかな補足が可能ではなく、データサーバは、通信受信情報ＣＲＩを使用して装置１に補足テキスト情報ＣＴＩの複数の可能なアイテムを通信する。
【００４８】
テキストフィルトレーション手段１９は、補足のテキスト情報ＣＴＩをテキスト情報補足手段２５から受信し、部分的なテキスト情報ＴＰＩを受信された補足のテキスト情報ＣＴＩで補足することで関連するテキスト情報ＴＩをコンパイルするために設計される。複数のアイテムの補足のテキスト情報ＣＴＩが存在する場合、選択を行うために捕捉のビデオ情報ＤＩを使用して、装置１のユーザにとって利用可能にされるために存在する複数のアイテムのテキスト情報ＴＩについて提供が行われる。
【００４９】
先に記載された情報を表現する状態は、たとえば、図３に示されるトレイラーが画像Ｐ２及びＰ３のみをそれぞれ含み、したがって特定又はフィルタ可能な時間情報を含まないときに存在する。
【００５０】
この種のケースでは、抽出手段１７により、特にテキストフィルトレーション手段１９により、ピクチャ情報ＰＩ、すなわちテキスト情報２，５，６及び７からフィルタリングされたテキスト情報ＴＩが余りに不完全であるので、プログラミング手段２０で、受信手段１２のための制御情報ＣＩのプログラマブルな提供が保証されないことが本方法を使用して認識される。この種の不完全なテキスト情報ＴＩが本方法で認識された場合、このケースではテキスト情報５，６及び７であるピクチャ情報ＰＩからフィルタリングされたテキスト情報ＴＩの少なくとも１部は、部分的なテキスト情報ＴＰＩとしてテキスト情報補足手段２５に伝達される。
【００５１】
本方法によれば、部分的なテキスト情報ＴＰＩは、通信チャネルを介して通信送信情報ＣＳＩのコンポーネントとしてテキスト情報補足手段２５により送信され、この通信チャネルは、インターネットに接続されるケーブルテレビジョンネットワークの構成をとる。部分的なテキスト情報ＴＰＩに対応する補足のテキスト情報ＣＴＩは、通信受信情報ＣＲＩのコンポーネントとして、アドレス指定されたデータサーバから通信チャネルを介して装置１に送信され、部分的なテキスト情報補足手段２５により装置１で受信される。補足のテキスト情報ＣＴＩは、テキスト情報補足手段２５からテキストフィルトレーション手段１９に続いて伝達される。
【００５２】
本方法の下で、部分的なテキスト情報ＴＰＩを受信された補足のテキスト情報ＣＴＩで補足することで、特に、テキスト情報７を制御情報ＣＩのプログラマブルな提供に関連するテキスト情報“２０．００−２１．００”で補足することで、テキストフィルトレーション手段１９を使用して関連する不完全なテキスト情報ＴＩが形成され、完全な関連するテキスト情報ＴＩとしてプログラミング手段２０に伝達される。
【００５３】
これにより、制御情報ＣＩのプログラマブルな提供について不完全なテキスト情報ＴＩがビデオ情報ＶＩに存在する場合、制御情報ＣＩのプログラマブルな提供のために必要なものとして完全なテキスト情報ＴＩは、プログラミング手段２０に伝達することができる。
【００５４】
部分的なテキスト情報に対応する複数のアイテムの補足のテキスト情報ＣＴＩが存在する場合、複数のアイテムの補足のテキスト情報ＣＴＩが複数のアイテムの完全なテキスト情報ＴＩを発生するために使用され、補足のビデオ情報ＤＩを使用してユーザの意見において制御情報ＣＩのプログラマブルな提供について適切なテキスト情報ＴＩを選択するための機会が装置１のユーザに提供されることが本方法の下で提供される。
【００５５】
装置１にはビデオデータストリームＶＤＳを記憶するために設計される記憶手段が設けられる場合があることを述べておく。この種のストレージ手段は、たとえば、ハードディスクメモリ又は半導体メモリにより実現される場合がある。データキャリア上のビデオデータストリームＶＤＳの記憶のため、ＤＶＤ又はＣＤ＋ＲＷ又は半導体ベースのメモリカードのような交換可能なデータキャリアにアクセスするために設計されたデータキャリアアクセス手段が装置１に設けられることが更に提供される。
【図面の簡単な説明】
【００５６】
【図１】本発明の第一の実施の形態に係る装置を示すブロック図である。
【図２】図１に類似したやり方で、本発明の第二の実施の形態に係る装置を示す図である。
【図３】時間軸に沿って連続する画像の形式で、視覚的に提供可能なビデオ情報に含まれるテキスト情報のセクションを示す、時間を通した視覚的に提供可能なビデオ情報の一部を示す図である。
【図１】
2006507748.tif 000003
【図２】
2006507748.tif 000004
【図３】
2006507748.tif 000005
【国際調査報告】
2006507748.tif 000006
2006507748.tif 000007